(57)【特許請求の範囲】
【請求項１】
情報信号の記録及び／又は再生のための光学ディスクが着脱可能に装着されるターンテーブルを回転自在に支持するベースシャーシと、
上記ターンテーブルに装着された上記光学ディスクに対して上記ベースシャーシに設けた開口部から光学ヘッドを臨ませて情報信号の書込み及び／又は読出しを行う光学ピックアップ装置と、
上記光学ピックアップ装置を上記ターンテーブルに対して接近及び離反するように移動させる送り軸を有するピックアップ送り機構と、を備えたヘッド送り機構において、
上記ベースシャーシは、上記光学ヘッドの光軸方向に厚みのある枠状部材を有し、
上記枠状部材の一方の側面片の前端縁に挿通穴を設けると共に当該側面片の後端部に軸受部を設け、
上記挿通穴に上記送り軸を挿通し、上記送り軸の先端部を上記軸受部に回動自在に支持すると共に当該送り軸を回転駆動する送りモータの軸受部材を上記挿通穴に嵌合し、
上記送りモータを上記一方の側面片の前端縁において側方から固定ねじで固定することにより、上記送り軸の軸受部を上記ベースシャーシに一体に設けた
ことを特徴とするヘッド送り機構。
【請求項２】
請求項１記載のヘッド送り機構において、
上記ベースシャーシは、上記ターンテーブルが取り付けられるスピンドルモータが固定されたスピンドルシャーシと、上記スピンドルシャーシに揺動可能に支持されたピックアップシャーシとを有し、
上記ピックアップシャーシを上記枠状部材とした
ことを特徴とするヘッド送り機構。
【請求項３】
情報信号の記録及び／又は再生のための光学ディスクをディスク装着部に搬送するディスクトレイと、
上記ディスクトレイに載置されて搬送された上記光学ディスクが着脱可能に装着されるターンテーブルを回転自在に支持するベースシャーシと、
上記ターンテーブルに装着された上記光学ディスクに対して上記ベースシャーシに設けた開口部から光学ヘッドを臨ませて情報信号の書込み及び／又は読出しを行う光学ピックアップ装置と、
上記光学ピックアップ装置を上記ターンテーブルに対して接近及び離反するように移動させる送り軸を有するピックアップ送り機構と、を備えたディスクドライブ装置において、
上記ベースシャーシは、上記光学ヘッドの光軸方向に厚みのある枠状部材を有し、
上記枠状部材の一方の側面片の前端縁に挿通穴を設けると共に当該側面片の後端部に軸受部を設け、
上記挿通穴に上記送り軸を挿通し、上記送り軸の先端部を上記軸受部に回動自在に支持すると共に当該送り軸を回転駆動する送りモータの軸受部材を上記挿通穴に嵌合し、
上記送りモータを上記一方の側面片の前端縁において側方から固定ねじで固定することにより、上記送り軸の軸受部を上記ベースシャーシに一体に設けた
ことを特徴とするディスクドライブ装置。
【請求項４】
請求項３記載のディスクドライブ装置において、
上記ベースシャーシは、上記ターンテーブルが取り付けられるスピンドルモータが固定されたスピンドルシャーシと、上記スピンドルシャーシに揺動可能に支持されたピックアップシャーシとを有し、
上記ピックアップシャーシを上記枠状部材とした
ことを特徴とするディスクドライブ装置。
【発明の詳細な説明】
【０００１】
【発明の属する技術分野】
本発明は、光ディスクや光磁気ディスク等の光学ディスクを情報記録媒体として回転駆動すると共に、この光学ディスクの情報記録面に沿って光学ピックアップ装置を移動させて情報信号の記録（書込み）及び／又は再生（読取り）を行うディスクドライブ装置及び、このディスクドライブ装置に使用して好適なヘッド送り機構に関するものである。
【０００２】
【従来の技術】
従来、一般に、ＣＤ（コンパクトディスク）やＣＤ−ＲＯＭ（リードオンリメモリ）等の光ディスク、或いは光磁気ディスク（ＯＤ：オプチカルマグネチックディスク）等と言った、いわゆる光学ディスクを情報記録媒体として情報信号の記録及び／又は再生を行うディスクドライブ装置が提供されている。このディスクドライブ装置は、スピンドルモータの回転軸に取り付けられたターンテーブル上に光学ディスクを水平に装着して回転駆動する一方、光学ピックアップ装置の光学ヘッドによってレーザ光を光学ディスクの情報記録面に垂直に照射している。そして、光学ヘッドを光学ディスクの中心から半径方向外側に向かって移動させることにより、情報記録面に情報信号を書き込んだり、予め情報記録面に記録されている情報信号を読み出すようにしている。
【０００３】
このようなディスクドライブ装置では、情報信号が記録された光学ディスクの情報記録面とその情報を読み出すために設けられた光学ピックアップ装置の光学ヘッドとが、ある決められた傾きの範囲に取り付けられる必要がある。これは、光学ヘッドの傾きが情報信号の再生の正確性に大きく依存しているからである。この場合、光学ディスクの高密度、高精度な記録及び／又は再生を実行するためには、光学ヘッドの対物レンズの光軸を光学ディスクの情報記録面に対して垂直（９０°）に設定するのが望ましい。しかしながら、光学ディスクの傾き、スピンドルモータの垂直度、対物レンズの垂直度等にはバラツキがあるため、対物レンズの光軸を光学ディスクの情報記録面に対して精密に垂直に設定するのは困難である。
【０００４】
そのため、ＣＤやＣＤ−ＲＯＭ等の光学ディスクを情報記録媒体として使用するディスクドライブ装置では、光学ディスクと対物レンズとの間の相対的な傾き角の許容範囲を１．２°以内（光学ディスクの傾き角の規格が０．６°以内で、光ディスク装置側におけるスピンドルモータや対物レンズの傾き角の規格が０．６°以内である。）に規格統一している。そして、光学ディスクが所定位置に取り付けられた状態を基準として、光学ピックアップ装置を傾動させることにより対物レンズの光軸を決められた傾きの範囲内に調整している。
【０００５】
このようなディスクチルト機構を有するディスクドライブ装置としては、例えば、図１４に示すようなものが知られている。このディスクドライブ装置１は、内側に略四角形をなす開口部が設けられた板状の枠体からなるスピンドルシャーシ２と、このスピンドルシャーシ２よりも少々小さいが同じく開口部が設けられた板状の枠体からなるピックアップシャーシ３とを備えている。ピックアップシャーシ３には幅方向両側に突出する一対の軸部３ａが設けられている一方、スピンドルシャーシ２には軸部３ａを回動自在に支持する一対の軸受部２ａが設けられている。そして、これら一対の軸受部２ａと軸部３ａとの組み合せにより、ピックアップシャーシ３がスピンドルシャーシ２に対して長手方向へ揺動可能に支持されている。
【０００６】
このスピンドルシャーシ２の長手方向の一側にはチルト駆動機構４が設けられており、このチルト駆動機構４の作動によりピックアップシャーシ３がスピンドルシャーシ２の長手方向へ揺動動作するようになっている。そして、スピンドルシャーシ２の長手方向の他側には、スピンドルモータ５が回転軸を上に向けた状態で固定されている。このスピンドルモータ５の回転軸には、光学ディスクが装着されるターンテーブル６が一体的に取り付けられている。
【０００７】
また、ピックアップシャーシ３には、上記長手方向へ延在するようにガイド軸３ｂとガイド部（図に現れない。）とが互いに所定の間隔をあけて平行に取り付けられている。これらガイド軸３ｂ及びガイド部には光学ピックアップ装置７のスライド部材８が摺動可能に支持されていると共に、そのスライド部材８には図示しないラックが固定されていて、このラックにはヘッド送り機構９の末端部に位置するギアが噛合されている。このヘッド送り機構９を駆動させて回転力をスライド部材８に伝達することにより、光学ピックアップ装置７がターンテーブル６に対して接近及び離反するように移動される。
【０００８】
更に、スライド部材８には、ターンテーブル６に装着された光学ディスクの情報記録面との距離を検出するチルトセンサ１０が搭載されている。このチルトセンサ１０は、情報記録面に向けて光を発射すると共に、その情報記録面で反射してきた光を受けて光学ディスクの反りを検出するものである。このチルトセンサ１０の検出結果に基づいてピックアップシャーシ３の傾きを変更することにより、光学ディスクの情報記録面の傾きに対する光学ピックアップ装置７の光学ヘッド７ａの光軸の傾きを調整することができる。
【０００９】
【発明が解決しようとする課題】
しかしながら、このような従来のディスクドライブ装置においては、一対のガイド軸７とガイド部とで光学ピックアップ装置８を移動可能に支持し、光学ピックアップ装置８のスライド部材９に取り付けたラックをピックアップシャーシ３に設けたピックアップ送り機構１０の末端のギアに噛合し、ピックアップ送り機構１０の駆動力をラックに伝達させて光学ピックアップ装置８をターンテーブル６に対して接近及び離反するように移動させる構成となっていたため、複数のギアを有する減速機構が必要とされ、使用する部品の点数が多くなって不経済であるばかりでなく、装置全体が大型化されるという不具合があった。
【００１０】
このような不具合を解決するため、近年では、ステッピングモータと送り軸を組み合わせた送り機構が提供されている。この送り機構は、ステッピングモータの回転軸の軸方向に送り軸の軸方向を一致させて連結したものである。ステッピングモータは、モータホルダを介してピックアップシャーシに固定すると共に、送り軸の先端部分も軸受部材を介してピックアップシャーシに回動自在に支持する構造となっている。かかる送り機構によれば、従来のギアによる減速機構を必要とせず、しかも、ステッピングモータをコンパクトに構成することができたため、上述したような不具合を解決するためには有効な手段であった。
【００１１】
ところが、ステッピングモータは、発生するトルクが小さいことからモータや軸受部材の取付精度を上げる必要があった。そのため、ステッピングモータ及び送り軸の取付作業が煩わしいものとなり、取付作業に時間が係るばかりでなく、部品点数が多くなって不経済であるという課題があった。しかも、ステッピングモータ及び送り軸の取付精度が悪いと、ステッピングモータの負荷が大きくなって作動不良を生ずるおそれがあるという課題もあった。
【００１２】
本発明は、かかる従来の課題に鑑みてなされたものであり、送り軸の軸受部をベースシャーシに一体に設け、この軸受部に送り軸を回動自在に支持することにより、上述したような課題を解決することができるディスクドライブ装置及び、このディスクドライブ装置に使用して好適なヘッド送り機構を提供することを目的としている。
【００１３】
【課題を解決するための手段】
上述したような課題等を解決し、上記目的を達成するために、本発明のヘッド送り機構は、情報信号の記録及び／又は再生のための光学ディスクが着脱可能に装着されるターンテーブルを回転自在に支持するベースシャーシと、ターンテーブルに装着された光学ディスクに対してベースシャーシに設けた開口部から光学ヘッドを臨ませて情報信号の書込み及び／又は読出しを行う光学ピックアップ装置と、この光学ピックアップ装置をターンテーブルに対して接近及び離反するように移動させる送り軸を有するピックアップ送り機構と、を備えたヘッド送り機構において、ベースシャーシは、光学ヘッドの光軸方向に厚みのある枠状部材を有し、この枠状部材の一方の側面片の前端縁に挿通穴を設けると共に側面片の後端部に軸受部を設け、挿通穴に送り軸を挿通し、この送り軸の先端部を軸受部に回動自在に支持すると共に送り軸を回転駆動する送りモータの軸受部材を挿通穴に嵌合し、送りモータを一方の側面片の前端縁において側方から固定ねじで固定することにより、送り軸の軸受部をベースシャーシに一体に設けたことを特徴としている。
【００１５】
本発明のヘッド送り機構は、ベースシャーシは、ターンテーブルが取り付けられるスピンドルモータが固定されたスピンドルシャーシと、このスピンドルシャーシに揺動可能に支持されたピックアップシャーシとを有し、このピックアップシャーシを枠状部材としたことを特徴としている。
【００１６】
本発明のディスクドライブ装置は、情報信号の記録及び／又は再生のための光学ディスクをディスク装着部に搬送するディスクトレイと、このディスクトレイに載置されて搬送された光学ディスクが着脱可能に装着されるターンテーブルを回転自在に支持するベースシャーシと、ターンテーブルに装着された光学ディスクに対してベースシャーシに設けた開口部から光学ヘッドを臨ませて情報信号の書込み及び／又は読出しを行う光学ピックアップ装置と、この光学ピックアップ装置をターンテーブルに対して接近及び離反するように移動させる送り軸を有するピックアップ送り機構と、を備えたディスクドライブ装置において、ベースシャーシは、光学ヘッドの光軸方向に厚みのある枠状部材を有し、この枠状部材の一方の側面片の前端縁に挿通穴を設けると共に側面片の後端部に軸受部を設け、挿通穴に送り軸を挿通し、この送り軸の先端部を軸受部に回動自在に支持すると共に送り軸を回転駆動する送りモータの軸受部材を挿通穴に嵌合し、送りモータを一方の側面片の前端縁において側方から固定ねじで固定することにより、送り軸の軸受部をベースシャーシに一体に設けたことを特徴としている。
【００１８】
本発明のディスクドライブ装置は、ベースシャーシは、ターンテーブルが取り付けられるスピンドルモータが固定されたスピンドルシャーシと、このスピンドルシャーシに揺動可能に支持されたピックアップシャーシとを有し、このピックアップシャーシを枠状部材としたことを特徴としている。
【００１９】
上述のように構成したことにより、本発明のヘッド送り機構では、ベースシャーシは枠状部材を有し、この枠状部材の一方の側面片の前端縁に設けた挿通穴に送り軸を挿通し、この送り軸の先端部を一方の側面片の後端部に設けた軸受部に回動自在に支持すると共に、送りモータの軸受部材を挿通穴に嵌合し、送りモータを一方の側面片の前端縁において側方から固定ねじで固定して 送り軸の軸受部をベースシャーシに一体に設けるようにしたため、軸受部材を別部材として必要とすることがなく、部品点数の削減を図ることができると共に、送り軸の取付精度を高めて高精度の送り機構を実現でき、機構全体の小型化を図ることができて、据え置き型及びポータブル型のいかんを問わず、汎用的な機構として使用することができる。
【００２１】
本発明のヘッド送り機構では、ベースシャーシを、スピンドルモータが固定されたスピンドルシャーシと、このスピンドルシャーシに揺動可能に支持されたピックアップシャーシとで構成し、ピックアップシャーシを枠状部材とするようにしたため、機構全体が小型でありながらチルト動作を実現することができる。
【００２２】
本発明のディスクドライブ装置では、ベースシャーシは枠状部材を有し、この枠状部材の一方の側面片の前端縁に設けた挿通穴に送り軸を挿通し、この送り軸の先端部を一方の側面片の後端部に設けた軸受部に回動自在に支持すると共に、送りモータの軸受部材を挿通穴に嵌合し、送りモータを一方の側面片の前端縁において側方から固定ねじで固定して 送り軸の軸受部をベースシャーシに一体に設けるようにしたため、軸受部材を別部材として必要とすることがなく、部品点数の削減を図ることができると共に、送り軸の取付精度を高めて高精度の送り機構を実現でき、機構全体の小型化を図ることができて、据え置き型及びポータブル型のいかんを問わず、汎用的な機構として使用することができる。
【００２４】
本発明のディスクドライブ装置では、ベースシャーシを、スピンドルモータが固定されたスピンドルシャーシと、このスピンドルシャーシに揺動可能に支持されたピックアップシャーシとで構成し、ピックアップシャーシを枠状部材とするようにしたため、機構全体が小型でありながらチルト動作を実現することができる。
【００２５】
【発明の実施の形態】
以下、本発明を適用したディスクドライブ装置及びそのヘッド送り機構の実施の形態を図面を参照して説明する。この実施例に係るディスクドライブ装置は、直径１２ｃｍ及び直径８ｃｍのＣＤやＣＤ−ＲＯＭ等の光学ディスクを情報記録媒体として用いて、その光学ディスクをディスクトレイにより搬送して自動的にローディングし、その光学ディスクに記録されている情報の再生（読取り）を行うディスクトレイ方式のディスクドライブ装置に適用したものである。
【００２６】
即ち、図１は本発明のディスクドライブ装置の一実施例を示す斜視図、図２は同じく分解斜視図、図３は図２に示すメインシャーシを拡大して示す斜視図、図４は同じくディスクトレイを示す斜視図、図５は同じくベースユニット及びベースホルダを示す斜視図、図６は図５に示すベースユニットから２軸カバーを分解した状態を示す斜視図、図７は同じくベースユニットの正面図、図８は同じくベースユニットの分解斜視図、図９は図２に示すチャックプレート等を示す斜視図である。更に、図１０及び図１１は本発明のディスクドライブ装置をディスクトレイ移動方向に断面したもので、図１０はアンローディング状態を示す縦断面図、図１１はローディング状態を示す縦断面図である。図１２及び図１３は本発明のベースユニットを示すもので、図１２はピックアップシャーシを前側に傾斜した状態を示す側面図、図１３はピックアップシャーシを後側に傾斜した状態を示す側面図である。
【００２７】
図１及び図２に示すように、ディスクドライブ装置１１は、上面及び前面に開口した箱型のメインシャーシ１２と、このメインシャーシ１２の前面開口部から出し入れされるディスクトレイ１３と、メインシャーシ１２の凹陥部内に収納されて揺動可能に支持されるベースホルダ１４と、このベースホルダ１４に弾性支持されるベースユニット１５等を備えて構成されている。
【００２８】
メインシャーシ１２は、図３に拡大して示すように、底の浅い四角形の箱体からなり、その底面の中央部には後端部まで延びる略四角形をなす凹陥部１６が設けられている。この凹陥部１６の底面は前下がりの斜面とされていて、ディスクトレイ１３の出し入れ方向である前後方向Ｘの後端部において、その前後方向Ｘと水平方向に直交する左右方向Ｙの両端縁部には、上方に開口された一対の軸受部１７，１７が設けられている。この一対の軸受部１７，１７には、ベースホルダ１４の両側面後端部に設けた一対の軸部１４ａ，１４ａがそれぞれ回動自在に軸支されている。そして、凹陥部１６の前端部には、左右方向Ｙに延在された互いに平行をなすガイド突条１８と長穴１９とが設けられている。
【００２９】
更に、メインシャーシ１２の凹陥部１６を囲う底面前端部の一側にはモータ用座部１２ａが形成されている。この座部１２ａには、メインシャーシ１２の裏面側においてローディングモータ２０がネジ止めされて取り付けられている。このローディングモータ２０の回転軸２０ａは、メインシャーシ１２の底面を貫通して凹陥部１６内に突出されており、その回転軸２０ａには駆動プーリ２１が固定されている。この駆動プーリ２１には動力伝達部材としてのゴムベルト２２の一端が掛け渡されており、そのゴムベルト２２の他端には、底面前端部の略中央部に配置された従動プーリ２３が掛けられている。
【００３０】
従動プーリ２３は、メインシャーシ１２の底面前端部に立設された第１の支持軸１２ｂに回転自在に支持されていると共に、第１の支持軸１２ｂに螺合された止めネジ２４によって抜け止めされている。この従動プーリ２３の下面には、図に現れないギアが一体に形成されており、そのギアには中間ギア２５の中部ギア２５ｂが噛合されている。この中間ギア２５は、同じく底面前端部に立設された第２の支持軸１２ｃに回転自在に支持されている。この中間ギア２５の中部ギア２５ｂの上面に設けた上部ギア２５ａには、同じく底面前端部に立設された第３の支持軸１２ｄに回転自在に支持された駆動ギア２６が噛合されている。
【００３１】
更に、中間ギア２５の中部ギア２５ｂの下面には下部ギア２５ｃが一体に形成されている。この下部ギア２５ｃには、図１０等に示すように、チャックカム２７のラック２７ａが噛合されている。このチャックカム２７は、横長の長方形とされたブロック状の部材からなり、その上部には一面側に突出するラック２７ａが形成されている。そして、チャックカム２７の下面には、長手方向に延びるガイド溝が設けられている。更に、チャックカム２７のラック２７ａと反対側の面には、ベースホルダ１４を上下方向へ揺動動作させるためのカム溝２７ｂが設けられている。
【００３２】
このチャックカム２７のカム溝２７ｂは、長手方向の両端に設定された上下の水平部と、この上下水平部を斜めに連通する斜面部とを有している。このカム溝２７ｂには、ベースホルダ１４の前端面に前方へ突出するように設けたカムピン２８が摺動可能に係合されている。更に、チャックカム２７の上面及び下面には、このチャックカム２７を手動操作でスライド動作させるための操作ピン２７ｃ，２７ｄが設けられている。一方の下操作ピン２７ｄは、図１０等に示すように、メインシャーシ１２の長穴１９を貫通して裏面側に突出している。
【００３３】
このチャックカム２７の上操作ピン２７ｃの基部にはバネ受け片２７ｅが設けられており、このバネ受け片２７ｅには引張コイルばね２９の一端が係止されている。この引張コイルばね２９の他端は、メインシャーシ１２の座部１２ａに設けたバネ受け片１２ｅに係止されている。この引張コイルばね２９のバネ力により、チャックカム２７は常時座部１２ａ側に引っ張られている。従って、チャックカム２７が引張コイルばね２９の引張方向である座部１２ａ側の端部に位置しているときには、カムピン２８がカム溝２７ｂの下水平部にあってベースホルダ１４は前下がりの状態となっている。一方、チャックカム２７が引張コイルばね２９のバネ力に抗して座部１２ａから離れる側の端部に位置しているときには、カムピン２８がカム溝２７ｂの上水平部にあってベースホルダ１４は略水平状態となっている。
【００３４】
また、メインシャーシ１２の前面開口部はトレイ出入口３０となっている。このトレイ出入口３０の両側部を囲う側面片の各内面には複数のトレイガイド３１が設けられ、また、底面片には複数のガイドピン３２ａ，３２ｂが設けられている。これらトレイガイド３１及びガイドピン３２ａ，３２ｂでディスクトレイ１３の左右両側部に設けた一対のガイドレール１３ａ，１３ａ等を規制することにより、ディスクトレイ１３がメインシャーシ１２に対して前後方向Ｘへ移動可能に保持されて、トレイ出入口３０から出し入れ可能に構成されている。
【００３５】
このディスクトレイ１３は、図４等に示すように、光学ディスクの一具体例を示すＣＤやＣＤ−ＲＯＭ等の光ディスク３３を横置きにして収容することができる円形の凹陥部からなるディスク収容部３４と、このディスク収容部３４の中央部からトレイセンタに沿って後方へ延在するように開口された長穴状の開口部３５とが設けられている。ディスク収容部３４は、直径１２ｃｍの光ディスク３３が載置される大径部３４ａと、この大径部３４ａの中央部に形成された凹部からなり且つ直径８ｃｍの光ディスク３３が載置される小径部３４ｂとを有している。
【００３６】
また、ディスクトレイ１３の開口部３５は、ディスク収容部３４の小径部３４ｂの中心部よりも前から開口されていて、大径部３４ａの一部を切り欠いてディスク収容部３４の外側まで延在されている。この開口部３５の大きさ及び形状は、ベースユニット１５の上部が完全に入り込むことができる大きさ及び形状とされている。
【００３７】
このディスクトレイ１３の左右両側縁に、前後方向へ平行に延びる左右一対のガイドレール１３ａ，１３ａが設けられている。そして、ディスクトレイ１３の下面の一側には、図示しないが、ガイドレール１３ａと平行に延びるラックとガイド溝とが一体に設けられている。このラックにはメインシャーシ１２に支持された駆動ギア２６が噛合され、この駆動ギア２６の回転力によりディスクトレイ１３が前進又は後退動作される。このラックは、ディスクトレイ１３が最後端の直前まで移動したところで、駆動ギア２６との噛み合いが解除されるように長さが設定されている。また、ガイド溝にはメインシャーシ１２の前部に立設されたガイドピン３２ａが摺動可能に係合され、このガイドピン３２ａによってもディスクトレイ１３の移動が規制されて、前後方向Ｘへ直線的に移動するように構成されている。
【００３８】
このディスクトレイ１３の前後移動はトレイ送り検出スイッチ３７によって検出され、このトレイ送り検出スイッチ３７の働きにより、ディスクトレイ１３が光ディスク３３を排出するイジェクト方向へ移動するのか、光ディスク３３をディスク装着部に搬送するセット方向へ移動するのかを検出できるようになっている。このトレイ送り検出スイッチ３７は、メインシャーシ１２の下面に取り付けられるプリント配線基板３８に固定されている。そして、トレイ送り検出スイッチ３７の作動子３７ａは、メインシャーシ１２に設けた貫通穴を貫通してディスクトレイ１３の移動軌跡上に突出されている。
【００３９】
このプリント配線基板３８には、ローディングモータ２０等に電力を供給するための接続端子３９が搭載されていると共に、チャックカム２７の動作を検出するカム検出スイッチ４０が取り付けられている。このカム検出スイッチ４０の作動子４０ａはチャックカム２７に設けた入力部２７ｆの移動軌跡上に配置されている。そして、チャックカム２７が座部１２ａから離れる方向へ所定量移動したときに、カム検出スイッチ４０がオンされる構成となっている。図３で示す符号４１は、メインシャーシ１２の下面に取り付けられるカバープレートである。
【００４０】
このようなメインシャーシ１２の凹陥部１６内に収納されるベースホルダ１４は、図５等に示すような形状とされている。即ち、ベースホルダ１４は、底の浅い略四角形をなす箱体からなり、その前面板には上述したカムピン２８が設けられ、また、左右両側面板の後端部には一対の軸部１４ａが設けられている。このベースホルダ１４の底面板には、スピンドルモータ等との接触を避けるための開口穴４２ａとフレキシブルプリント配線基板等を通過させるための開口穴４２ｂとが設けられている。そして、底面板の上面の３箇所には、ベースユニット１５を位置決めして弾性支持するための凸部１４ｂが設けられている。この凸部１４ｂには、ゴムやプラスチック等のゴム状弾性体によって瓢箪形に形成されたインシュレータ４３が装着されている。
【００４１】
ベースユニット１５は、図５〜図８に示すような構成とされている。即ち、ベースユニット１５は、情報信号の再生に供される光ディスク３３が装着されるターンテーブル４７を回転自在に支持するスピンドルシャーシ４４と、ターンテーブル４７に装着された光ディスク３３に対して情報信号の読出しを行う光学ピックアップ装置４８を移動可能に支持するピックアップシャーシ４５等を備えている。このスピンドルシャーシ４４とピックアップシャーシ４５とでベースシャーシ３６が構成されている。
【００４２】
ベースユニット１５のスピンドルシャーシ４４は、図８に示すように、前面片４４ａと左右の側面片４４ｂ，４４ｃと後面片４４ｄとを有する枠状の部材からなり、前面片４４ａのみが他の片の略２倍の高さに設定されている。この前面片４４ａの一方の角部と、これと反対側に位置する側面片４４ｂの前端部と、後面片４４ｄの略中央部との合計３箇所には、インシュレータ４３を支持するための支持部４９が設けられている。この支持部４９は平面Ｃ字形の爪状をなしており、この支持部４９にインシュレータ４３の括れ部分が挿入されている。そして、図示しない固定ねじを上部からインシュレータ４３内に挿入し、先端のネジ部を凸部１４ｂの上面に設けたネジ穴に螺合する。これにより、ベースユニット１５が、３個のインシュレータ４３を介してベースホルダ１４に弾性的に支持されている。
【００４３】
また、スピンドルシャーシ４４の前面片４４ａには、その一部を上方へ膨出させることによってモータ取付座５０が設けられている。このモータ取付座５０の内側にはスピンドルモータ５１が装着されていると共に、複数本の固定ねじ５２ａで締付固定されて一体化されている。このスピンドルモータ５１の回転軸５１ａは、モータ取付座５０の貫通穴５０ａを貫通してスピンドルシャーシ４４の上方に突出されている。
【００４４】
このスピンドルモータ５１の回転軸５１ａには、オフセットワッシャ５３が嵌合固定されていると共に、このオフセットワッシャ５３の上方にはターンテーブル４７が嵌合固定されている。このターンテーブル４７の上面中央部にはリング固定部４７ａが突出形成されていて、このリング固定部４７ａにはチャッキングリング５４が嵌合固定されている。このチャッキングリング５４には、中央の穴と同心をなすようにマグネット５４ａが埋設されている。このチャッキングリング５４に光ディスク３３の中央穴を嵌合することにより、その光ディスク３３がターンテーブル４７に位置決めされる。
【００４５】
図８に示す符号５５は、回転軸５１ａの軸方向への移動を規制するオフセットばねである。このオフセットばね５５はモータ取付座５０を横断するように設定されていて、その中途部がオフセットワッシャ５３に係合され、その両端部がモータ取付座５０に係止されている。
【００４６】
更に、モータ取付座５０の内側には、スピンドルモータ５１と横並びとなるようにチルトモータ５６が装着されている。このチルトモータ５６は、１本の固定ねじ５２ｂで締付固定されて一体化されている。このチルトモータ５６の回転軸５６ａは、モータ取付座５０の穴５０ｂを貫通してスピンドルシャーシ４４の上方に突出されている。このチルトモータ５６の回転軸５６ａにはチルトギア５７が嵌合固定され、このチルトギア５７にはチルトカム５８のギア部５８ａが噛合されている。このチルトカム５８は、前面片４４ａの上面に立設された支持軸５９に回転自在に支持されている。このチルトカム５８の上面には螺旋形に延在されたカム面５８ｂが設けられていて、このカム面５８ｂの高さ方向のストローク分だけピックアップシャーシ４５が上下方向へ揺動動作されることになる。
【００４７】
また、スピンドルシャーシ４４の側面片４４ｂ，４４ｃ及び後面片４４ｄは、その断面形状が長手方向の略全長に亘ってＬ字形となるように形成されていて、かかる断面形状とすることでスピンドルシャーシ４４全体の剛性を高めるようにしている。更に、両側面片４４ｂ，４４ｃの長手方向の略中央部には、横方向に張り出す形で一対の軸受部６０，６１が設けられている。これらの軸受部６０，６１には、ピックアップシャーシ４５に設けられた一対の回動軸部６３が回動自在に保持されている。
【００４８】
一方の軸受部６０は、外側に大きく張り出すと共に上面に開口されたボックス状の箱体縁６０ａと、この箱体縁６０ａの内部に設けられたＶ字形の受け面６０ｂとを具えている。この受け面６０ｂに一方の回動軸部６３を載置し、その回動軸部６３を押え片６２で上から押えることにより回動軸部６３の抜け止めがなされる。押え片６２は、固定ねじ５２ｃで箱体縁６０ａに締付固定される。他方の軸受部６１は、Ｖ字形の受け面６１ａと、この受け面６１ａを囲う門型の押え片６１ｂとを具えている。押え片６１ｂは側面片４４ｃと一体に形成されており、他方の回動軸部６３を内側から挿入することにより、受け面６１ａとの間で回動軸部６３が回動自在に保持される。
【００４９】
また、ピックアップシャーシ４５は、平面から見た形状がスピンドルシャーシ４４の前面片４４ａを除いた形状と略同一形状をなすように略同一の大きさで形成されている。即ち、ピックアップシャーシ４５は、スピンドルシャーシ４４の前面片４４ａの後方に配置され、その前面片４４ａに隣接される前面片４５ａと、左右に対向した一対の側面片４５ｂ，４５ｃと、後方に連続された後面片４５ｄとを有する枠状の部材からなっている。そして、これら枠状部材の内側に、光学ピックアップ装置４８の光学ヘッド６８が貫通される開口部６４が設けられている。
【００５０】
更に、ピックアップシャーシ４５の前面片４５ａを除いた側面片４５ｂ，４５ｃ及び後面片４５ｄは、その断面形状が長手方向の略全長に亘ってＬ字形となるように形成されていて、かかる断面形状とすることでピックアップシャーシ４５全体の剛性を高めるようにしている。そして、両側面片４５ｂ，４５ｃの長手方向の略中央部に、上述した一対の回動軸部６３が突設されている。これら側面片４５ｂ，４５ｃ及び後面片４５ｄの高さは、スピンドルシャーシ４４の側面片４４ｂ等と略同程度に設定されている。従って、ピックアップシャーシ４５をスピンドルシャーシ４４の所定位置に重ね合わせることにより、この重合部分の高さがスピンドルシャーシ４４の前面片４４ａ部分の高さと略同一となるように構成されている。
【００５１】
一方、ピックアップシャーシ４５の前面片４５ａは、左右の側面片４５ｂ，４５ｃを上面のみで連結するよう板状に形成されている。そして、この前面片４５ａの上面には、その延在方向である横方向に傾斜するよう一方の側面片４５ｂ側を低くした斜面部４５ｅが設けられている。この前面片４５ａが、ターンテーブル４７の下側に入り込むピックアップシャーシ４５の端縁部を構成している。このようにピックアップシャーシ４５の前面片４５ａに斜面部４５ｅを設けることにより、従来のベースシャーシと比べて部品点数を少なくすることができると共に、組立性を向上させて組立作業をやり易くすることができる。
【００５２】
また、ピックアップシャーシ４５の後面片４５ｄの上面には位置決め凸起４５ｆが設けられている。この位置決め凸起４５ｆによって遮光板６５が後面片４５ｄ上に固定ねじ５２ｄで締付固定されている。この遮光板６５は断面形状が略Ｌ字形をなしていて、最も外側に移動した光学ピックアップ装置４８の光学ヘッド６８の上方、特に、対物レンズ６８ａを覆うようになっている。
【００５３】
更に、ピックアップシャーシ４５の一方の側面片４５ｂの前端縁には挿通穴６６ａが設けられていて、後端部には軸受部６６ｂが設けられている。この前部挿通穴６６ａには、送りモータ７０に設けた軸受部材が嵌合されると共に、挿通穴６６ａに挿通された送り軸６９の先端部が軸受部６６ｂに回動自在に支持されている。この送り軸６９は、送りモータ７０の回転軸とされていて、外周面に螺旋状のねじ溝が形成され、この送り軸６９自体が送りモータ７０のロータを構成している。この送りモータ７０は、固定側であるブラケット７０ａを２本の固定ねじ５２ｅで締付けることにより、ピックアップシャーシ４５の前方に突出するよう側面片４５ｂの前端縁に固定されている。
【００５４】
この送り軸６９と反対側のピックアップシャーシ４５の他方の側面片４５ｃの内側には、送り軸６９と平行をなすようにガイド軸７１が取り付けられている。そのため、側面片４５ｃの前端縁及び後端縁には一対の挿通穴７２が設けられていて、両挿通穴７２に両端部を圧入することによってガイド軸７１が両端支持されている。
【００５５】
更に、ピックアップシャーシ４５の他方の側面片４５ｃの上部前端縁には、チルトカム５８側に突出するカム片７３が設けられている。このカム片７３には板ばね７４の自由端が圧接されており、この板ばね７４のばね力で付勢されてカム片７３が、その下方に位置するチルトカム５８のカム面５８ｂに圧接されている。そして、板ばね７４の固定端は固定ねじ５２ｆによってスピンドルシャーシ４４の前面片４４ａの上面に締付固定されている。
【００５６】
この送り軸６９及びガイド軸７１によって移動可能に支持された光学ピックアップ装置４８は、両軸６９，７１にガイドされてターンテーブル４７に対して接近及び離反可能とされている。この光学ピックアップ装置４８は、光学ヘッド６８が搭載されたスライド部材７５を有している。このスライド部材７５の一側には軸受穴７５ａを設けており、この軸受穴７５ａに送り軸６９が摺動可能に挿通されている。この送り軸６９のねじ溝には、スライド部材７５の下面に取り付けられた摺動ラック７６のラック部７６ａが噛合されている。このラック部７６ａは弾性片を介して固定片７６ｂと一体に形成されており、この固定片７６ｂを固定ねじ５２ｇで締付けることにより、摺動ラック７６がスライド部材７５に固定されている。また、スライド部材７５の他側には軸受部７５ｂを設けており、この軸受部７５ｂにガイド軸７１が摺動可能に挟み込まれている。
【００５７】
上述した送り軸６９と送りモータ７１と摺動ラック７６とで、光学ピックアップ装置４８を移動させるヘッド送り機構が構成されている。そして、送り軸６９と摺動ラック７６とで減速機構が構成されている。
【００５８】
光学ピックアップ装置４８の光学ヘッド６８は、対物レンズ６８ａをフォーカス方向（上下方向）及びトラッキング方向（横方向）に独立に動かすことができる２軸アクチュエータを有している。この２軸アクチュエータの駆動力としては専ら電磁力が用いられており、この実施例では可動部の支持方式の違いとして分類される板ばね方式の２軸アクチュエータを採用している。しかしながら、２軸アクチュエータとしてその他の形式のワイヤ支持方式、ヒンジ方式、軸摺動方式を適用できることは勿論である。図８に示す７７は、２軸アクチュエータを覆う２軸カバーであり、この２軸カバー７７には対物レンズ６８ａを露出させるための開口窓７７ａが設けられている。
【００５９】
また、図２に示すように、メインシャーシ１２の上部には、ディスクトレイ１３の上方を横切るようにチャックホルダ８０が取り付けられている。このチャックホルダ８０は、図９に拡大して示すように、薄くて横方向に長い四角形の板体からなり、その長手方向の略中央部には貫通穴８０ａが設けられている。この貫通穴８０ａには、チャックプレート８１の３個の脚片８２が緩く挿通されている。これら３個の脚片８２は、外周面が円周の一部をなすよう円弧上に配置されていて、これら脚片８２の内部には、チャッキングリング５４に内蔵されたマグネット５４ａによって吸着される鉄板等からなる円盤状のヨーク板８３が収納されている。
【００６０】
このチャックホルダ８０の貫通穴８０ａを突き抜けて上方へ突出した各脚片８２の先端部にはヨーク押え板８４が取り付けられている。このヨーク押え板８４とチャックプレート８１で所定の隙間を保持してチャックホルダ８０を挟み込むことにより、その隙間の範囲内でチャックプレート８１をその平面方向と直交する方向へ移動可能としている。そして、貫通穴８０ａと３個の脚片８２との間に隙間を設定することにより、その隙間の範囲内でチャックプレート８１をその平面方向へ移動可能に構成している。
【００６１】
尚、上述したメインシャーシ１２、ディスクトレイ１３及びベースホルダ１４の材質としてはＡＢＳ樹脂が好適であるが、その他の合成樹脂を適用できることは勿論のこと、アルミニウム合金等の金属を用いることもできる。また、ベースシャーシ３６を構成するスピンドルシャーシ４４及びピックアップシャーシ４５の材質としてはガラス繊維が６５％含まれたＰＰＳ（ポリフェニレンスルフィド）が好適であるが、その他の合成樹脂を適用できることは勿論のこと、アルミニウム合金等の金属を用いることもできる。
【００６２】
このような構成を有するディスクドライブ装置１１によれば、例えば、次のようにして光ディスク３３の再生操作を行うことができる。まず、このディスクドライブ装置１１に電源を投入した後、例えば、イジェクト釦を押してディスクトレイ１３を引き出してイジェクト状態とすることにより、ディスク収納部３４が露出され、その大径部３４ａ又は小径部３４ｂへの光ディスク３３の装着が可能となる。
【００６３】
このディスク収納部３４に所望の光ディスク３３を載置した後、例えば、再生釦を押してローディング機構を動作させることにより、ディスクトレイ１３がディスク装着部に搬送される。この状態を示す図が、図１０である。尚、図１０及び図１１に示すチャックホルダ８０は、図９に示すチャックホルダ８０を若干変形して、ディスク収納部３４及び開口部３５の全体を同時に塞ぐことができる形状としたものである。
【００６４】
このディスクトレイ１３の搬送時、再生釦等の操作によってローディングモータ２０が駆動されると、その回転力が駆動プーリ２１からゴムベルト２２を介して従動プーリ２３に伝達される。この従動プーリ２３の回転力が、中間ギア２５の中部ギア２５ｂから上部ギア２５ａを介して駆動ギア２６に伝達される。この駆動ギア２６の回転力がディスクトレイ１３のラックに伝達され、これにより、トレイガイド３１及びガイドピン３２ａ，３２ｂにガイドされてディスクトレイ１３がメインシャーシ１２の後方へと移動する。このとき、ディスクトレイ１３が最後端まで移動する間、中間ギア２５の下部ギア２５ｃはチャックカム２７のラック２７ａとは噛合されていないため、チャックカム２７が移動することはない。
【００６５】
その後、ディスクトレイ１３が最後端まで移動すると、ディスクトレイ１３の下面に設けたカム溝内にチャックカム２７の上部操作ピン２７ｃが入り込み、このカム溝にガイドされてチャックカム２７が若干移動する。その結果、チャックカム２７のラック２７ａが下部ギア２５ｃに噛合され、ローディングモータ２０からのトルクの伝達が可能となる。一方、ディスクトレイ１３が最後端に到達すると、ディスクトレイ１３のラックと駆動ギア２６の噛合が解除され、ローディングモータ２０からのトルクの伝達が不能になる。
【００６６】
次に、ローディングモータ２０の回転力が下部ギア２５ｃからラック２７ａに伝達されると、チャックカム２７が引張コイルばね２９のバネ力に抗してローディングモータ２０から離れる方向に移動する。このチャックカム２７の移動により、カム溝２７ｂに係合されているベースホルダ１４のカムピン２８が、カム溝２７ｂの下水平部から斜面部を経て上水平部に移動する。その結果、ベースホルダ１４が、後端部の軸部１４ａを通して上方へ揺動されて略水平状態となる。この状態を示す図が、図１１である。
【００６７】
このとき、ベースホルダ１４の前部が持ち上げられると、このベースホルダ１４にインシュレータ４３を介して弾性支持されているベースユニット１５の揺動側に支持されているターンテーブル４７が、ディスクトレイ１３の開口部３５内に入り込む。これにより、ターンテーブル４７に装着されているチャッキングリング５４が光ディスク３３の中央穴３３ａ内に入り込み、光ディスク３３がターンテーブル４７上に載置される。この際、ターンテーブル４７によって光ディスク３３が若干持ち上げられると共に、チャックホルダ８０に保持されているチャックプレート８１が、ターンテーブル４７に内蔵されているマグネット４７ａに吸着される。
【００６８】
その結果、光ディスク３３がターンテーブル４７とチャックプレート８１で挟持される。これにより、光ディスク３３がターンテーブル４７と回転方向に一体となり、スピンドルモータ５１の回転力によって所定回転で回転駆動される。
【００６９】
これと同時又は前後して、送りモータ７０が駆動される。その結果、送り軸６９の回転により、その回転方向に応じて光学ピックアップ装置４８のスライド部材７５がターンテーブル４７に近づく方向に移動する。この光学ピックアップ装置４８がターンテーブル４７に近づく方向への移動により、ターンテーブル４７に装着されている光ディスク３３の傾きを検出することができる。この光ディスク３３の傾き量の検出は、例えば、次のようにして行われる。
【００７０】
即ち、光学ピックアップ装置４８が光ディスク３３の半径方向外側から内側へ移動するときに、光学ヘッド６８の対物レンズ６８ａから光ディスク３３の情報記録面に向けてレーザ光を照射し、そのレーザ光が戻ってくるまでの時間を連続して検出する。これにより検出された時間を比較することにより、光ディスク３３の傾き量を検出することができる。
【００７１】
次に、このようにして検出された光ディスク３３の傾き量を補正する操作について説明する。いま、ベースシャーシ３６を構成するスピンドルシャーシ４４とピックアップシャーシ４５とが、図１２に示すように、ターンテーブル４７側に傾斜した状態にあるものとする。この状態で光ディスク３３の傾きが検出されると、チルトモータ５６が駆動され、その回転力が回転軸５６ａからチルトギア５７に伝達される。このチルトギア５７の回転により、このチルトギア５７に噛合しているギア部５８ａからチルトカム５８に回転力が伝達され、チルトモータ５６の回転量に応じてチルトカム５８が回転駆動される。
【００７２】
このチルトカム５８のカム面５８ｂには、板ばね７４のバネ力によってピックアップシャーシ４５のカム片７３が常時付勢されている。その結果、カム片７３がカム面５８ｂに沿って移動するため、ピックアップシャーシ４５は、略中央部に位置する左右一対の回動軸部６３を回動中心として回動され、図１２において、反時計方向に姿勢を変化させる。このチルトカム５８の回動により、そのカム面５８ｂの最も高い位置がカム片７３に接触すると、ピックアップシャーシ４５は、図１３に示すように、後方へ傾いた状態となる。
【００７３】
このようなチルト機構の調整によって光ディスク３３の傾き量が調整されたところで、光学ピックアップ装置４８により光ディスク３３の情報記録面に記録されている情報信号の再生が行われる。この光学ピックアップ装置４８による情報信号の再生は、例えば、次のようにして行われる。即ち、光学ヘッド６８の対物レンズ６８ａから情報記録面に向けてレーザ光が照射され、このレーザ光の反射光が対物レンズ６８ａを通して受光されることにより、その情報記録面に記録されている情報信号の再生が行われる。
【００７４】
また、ディスクトレイ１３のイジェクト時には、上述したローディング時の動作と逆の動作が行われる。例えば、イジェクト釦を押してイジェクト操作を選択すると、ローディングモータ２０が逆方向に回転駆動され、その回転力が駆動プーリ２１、ゴムベルト２２、従動プーリ２３及び中間ギア２５の下部ギア２５ｃを介してラック２７ａに伝達される。これにより、チャックカム２７がローディングモータ２０に近づく方向に移動して、カムピン２８が押し下げられる。その結果、ベースホルダ１４が、図１１に示す水平状態から図１０に示す前傾状態に変化する。
【００７５】
これにより、ベースホルダ１４に支持されているベースユニット１５が下方に揺動され、光ディスク３３を載置しているターンテーブル４７が下方に移動される。このターンテーブル４７の下降動作により、チャックプレート８１が引き剥がされる。続いて、ターンテーブル４７のチャッキングリング５４が光ディスク３３の中央穴３３ａから抜け出し、光ディスク３３がディスクトレイ１３のディスク収納部３４に載置される。このような状態となることにより、ディスクトレイ１３の引き出しが可能となる。
【００７６】
このように本実施例によれば、ヘッド送り機構の送り軸６９の軸受部６６ｂをベースシャーシ３６に一体に設けるようにしたため、部品点数の削減を図ることができると共に、送り軸６９の取付精度を高めて高精度のヘッド送り機構を実現することができる。更に、送り軸６９をベースシャーシ３６の厚み内に収納することにより、ヘッド送り機構及びディスクドライブ装置の小型化を図ることができると共に、据え置き型タイプのみならずポータブル型タイプのディスクドライブ装置にも使用することができる。
【００７７】
以上説明したが、本発明は上記実施例に限定されるものではなく、例えば、上記実施例においてはＣＤやＣＤ−ＲＯＭ等の読出し専用の光ディスクを情報記録媒体として用いた例について説明したが、新たに情報を書込むことができる記録可能な光ディスク、或いは光磁気ディスクを情報記録媒体として適用することができる。
【００７８】
また、上記実施例では、光学ディスクに記録された情報の再生（読取り）を行うディスクトレイ方式のディスクドライブ装置及びそのヘッド送り機構について説明したが、情報の記録のみを行う記録専用のディスクドライブ装置に適用できることは勿論のこと、情報の記録及び再生の両方を行うことができるディスクドライブ装置及びそのヘッド送り機構に適用することもできる。このように、本発明は、上述した実施例に限定されるものではなく、その趣旨を逸脱しない範囲で種々変更できるものである。
【００７９】
【発明の効果】
以上説明したように、本発明のヘッド送り機構によれば、ベースシャーシは枠状部材を有し、この枠状部材の一方の側面片の前端縁に設けた挿通穴に送り軸を挿通し、この送り軸の先端部を一方の側面片の後端部に設けた軸受部に回動自在に支持すると共に、送りモータの軸受部材を挿通穴に嵌合し、送りモータを一方の側面片の前端縁において側方から固定ねじで固定して 送り軸の軸受部をベースシャーシに一体に設ける構成としたため、軸受部材を別部材として必要とすることがなく、部品点数の削減を図ることができると共に、材料として合成樹脂等を使用することによって一体成形が可能となり、生産性を向上させることができると共に、ベースユニット全体の小型化を図ることができる。しかも、軸受部の位置精度を安定化させることができるため、送り軸の取付精度を高めることができ、高精度のヘッド送り機構を実現することができるという効果を得ることができる。
【００８１】
本発明のヘッド送り機構によれば、ベースシャーシを、スピンドルモータが固定されたスピンドルシャーシと、このスピンドルシャーシに揺動可能に支持されたピックアップシャーシとで構成し、ピックアップシャーシを枠状部材とする構成としたため、機構全体が小型でありながら確実なチルト動作を実現できるヘッド送り機構を提供することができる。
【００８２】
本発明のディスクドライブ装置によれば、ベースシャーシは枠状部材を有し、この枠状部材の一方の側面片の前端縁に設けた挿通穴に送り軸を挿通し、この送り軸の先端部を一方の側面片の後端部に設けた軸受部に回動自在に支持すると共に、送りモータの軸受部材を挿通穴に嵌合し、送りモータを一方の側面片の前端縁において側方から固定ねじで固定して 送り軸の軸受部をベースシャーシに一体に設ける構成としたため、軸受部材を別部材として必要とすることがなく、部品点数の削減を図ることができると共に、材料として合成樹脂等を使用することによって一体成形が可能となり、生産性を向上させることができると共に、ディスクドライブ装置全体の小型化を図ることができる。しかも、軸受部の位置精度を安定化させることができるため、送り軸の取付精度を高めることができ、高精度のヘッド送り機構を有するディスクドライブ装置を提供することができるという効果を得ることができる。
【００８４】
本発明のディスクドライブ装置によれば、ベースシャーシを、スピンドルモータが固定されたスピンドルシャーシと、このスピンドルシャーシに揺動可能に支持されたピックアップシャーシとで構成し、ピックアップシャーシを枠状部材とする構成としたため、機構全体が小型でありながら確実なチルト動作を実現できるヘッド送り機構を有するディスクドライブ装置を提供することができる。
【図面の簡単な説明】
【図１】本発明のディスクドライブ装置の一実施例を示す外観斜視図である。
【図２】図１に示す本発明のディスクドライブ装置の分解斜視図である。
【図３】図２の要部を拡大して示すもので、本発明のディスクドライブ装置に係るメインシャーシその他の斜視図である。
【図４】本発明のディスクドライブ装置に係るディスクトレイを示す斜視図である。
【図５】図２の要部を拡大して示すもので、本発明のディスクドライブ装置に係るベースシャーシ及びベースホルダを示す斜視図である。
【図６】本発明のディスクドライブ装置に係るベースユニットを示すもので、２軸カバーを分解した状態の斜視図である。
【図７】本発明のディスクドライブ装置に係るベースユニットを示すもので、ターンテーブルを断面した状態の正面図である。
【図８】本発明のディスクドライブ装置に係るベースユニットの分解斜視図である。
【図９】図２の要部を拡大して示すもので、本発明のディスクドライブ装置に係るチャックプレート等を示す斜視図である。
【図１０】本発明のディスクドライブ装置をトレイ搬送方向に断面して示すもので、ターンテーブルが下降したアンローディング状態の断面図である。
【図１１】本発明のディスクドライブ装置をトレイ搬送方向に断面して示すもので、ターンテーブルが上昇したローディング状態の断面図である。
【図１２】本発明のディスクドライブ装置に係るベースシャーシを示すもので、ピックアップシャーシが前方にチルトした状態の側面図である。
【図１３】本発明のディスクドライブ装置に係るベースシャーシを示すもので、ピックアップシャーシが後方にチルトした状態の側面図である。
【図１４】従来のディスクドライブ装置を示す斜視図である。
【符号の説明】
１１  ディスクドライブ装置、  １２  メインシャーシ、  １３  ディスクトレイ、  １４  ベースホルダ、  １５  ベースユニット、  ２０  ローディングモータ、  ２７  チャックカム、  ３３  光ディスク（光学ディスク）、  ３５開口部、  ３６  ベースシャーシ、  ４４  スピンドルシャーシ、  ４５  ピックアップシャーシ、  ４７  ターンテーブル、  ４８  光学ピックアップ装置、  ５１  スピンドルモータ、  ５６  チルトモータ、  ５８  チルトカム、  ６８  光学ヘッド、  ６９  送り軸、  ７０  送りモータ、  ７３  カム片、  ７６  摺動ラック
【図１】
0004075174.tif 000002
【図２】
0004075174.tif 000003
【図３】
0004075174.tif 000004
【図４】
0004075174.tif 000005
【図５】
0004075174.tif 000006
【図６】
0004075174.tif 000007
【図７】
0004075174.tif 000008
【図８】
0004075174.tif 000009
【図９】
0004075174.tif 000010
【図１０】
0004075174.tif 000011
【図１１】
0004075174.tif 000012
【図１２】
0004075174.tif 000013
【図１３】
0004075174.tif 000014
【図１４】
0004075174.tif 000015